(57)【要約】【課題】  視聴率情報等を利用し、視聴率等の高い番組を適時に視聴することが可能な電子機器を提供することを目的とする。【解決手段】  ＡＶ機器１のメモリ１３には統計情報ファイル１３ａ、ユーザ情報ファイル１３ｂ、ＥＰＧ情報ファイル１３ｃ及び設定情報ファイル１３ｄが記憶される。統計情報ファイル１３ａはデータ処理装置２からＡＶ機器１へ送信される番組の視聴率情報等が保存され、ユーザ情報ファイル１３ｂにはユーザの視聴番組情報といったユーザ情報が保存され、ＥＰＧ情報ファイル１３ｃにはデータ処理装置２から送信される各番組の視聴率情報等が付加されたＥＰＧが保存され、設定情報ファイル１３ｄには自動制御項目内容が保存される。ＡＶ機器１はこれらのファイルを利用して視聴率等の高い番組を適時に表示部に表示、または録画する。【選択図】  図２
2005347806.tif 000002
【特許請求の範囲】
【請求項１】
視聴率情報を送信可能なデータ処理装置と通信する電子機器において、
表示部と、
前記表示部に現在表示されている番組から自動的に番組を切替えるか否かを判定するために用いられる閾値を設定する設定手段と、
前記データ処理装置から送信された前記視聴率情報を受信する受信手段と、
前記受信手段によって受信された視聴率情報に含まれる視聴率の値が前記閾値よりも大きい場合、前記視聴率情報に含まれる視聴率の値に対応する番組を表示する表示手段と、
を具備することを特徴とする電子機器。
【請求項２】
前記設定手段は、自動的に番組を録画するか否かを判定するために用いられる第２の閾値を設定する手段を有し、
前記受信手段によって受信された視聴率情報に含まれる視聴率の値が前記閾値よりも小さく、前記受信手段によって受信された視聴率情報に含まれる視聴率の値が前記第２の閾値よりも大きい場合、前記視聴率情報に含まれる視聴率の値に対応する番組を録画する手段をさらに有することを特徴とする請求項１記載の電子機器。
【請求項３】
前記設定手段は、自動的に少なくとも番組および視聴率情報を前記表示部に表示させるか否かを判定するために用いられる第３の閾値を設定する手段を有し、
前記表示手段は、前記受信手段によって受信された視聴率情報に含まれる視聴率の値が前記閾値よりも小さく、前記受信手段によって受信された視聴率情報に含まれる視聴率の値が前記第２の閾値よりも小さく、前記受信手段によって受信された視聴率情報に含まれる視聴率の値が前記第３の閾値よりも大きい場合、少なくとも番組および視聴率情報を表示する手段を有することを特徴とする請求項１記載の電子機器。
【請求項４】
前記データ処理装置に番組視聴・録画情報を送信する送信手段とをさらに具備することを特徴とする請求項１記載の電子機器。
【請求項５】
前記設定手段は、前記受信手段を許可にするか否かを設定する手段をさらに有することを特徴とする請求項１記載の電子機器。
【請求項６】
前記受信手段は、前記データ処理装置から送信される前記視聴率情報が付加されたＥＰＧを受信することを特徴とする請求項１記載の電子機器。
【請求項７】
前記録画手段は、前記受信手段によって受信された前記ＥＰＧに付加されている視聴率情報に含まれる視聴率の値が前記第４の閾値よりも大きい場合、前記視聴率情報に含まれる視聴率の値に対応する番組を録画する手段をさらに有することを特徴とする請求項１記載の電子機器。
【請求項８】
前記表示手段は、前記ＥＰＧの内容を表示する手段をさらに有することを特徴とする請求項１記載の電子機器。
【請求項９】
前記受信手段は、前記データ処理装置から放送局に送信される、前記視聴率情報が付加されたＥＰＧに基づいて、前記放送局が放送する番組を受信する手段をさらに有することを特徴とする請求項１記載の電子機器。
【請求項１０】
視聴率情報を送信可能なデータ処理装置と通信する電子機器にて実行される番組取得方法において、
表示部に現在表示されている番組から自動的に番組を切替えるか否かを判定するために用いられる閾値を設定し、
前記データ処理装置から送信された前記視聴率情報を受信し、
前記受信された視聴率情報に含まれる視聴率の値が前記閾値よりも大きい場合、前記視聴率情報に含まれる視聴率の値に対応する番組を表示する番組情報取得方法。
【発明の詳細な説明】
【技術分野】
【０００１】
本発明は、視聴率情報を利用して番組の視聴・録画等を行う電子機器および該電子機器にて実行される番組情報取得方法に関する。
【背景技術】
【０００２】
現在、テレビ等の視聴率はテレビ放映終了後、メディアを介して視聴者に通知されることが多い。また、視聴者は視聴率を考慮することなく番組を視聴していることが多い。
【０００３】
ネットワークインターフェース及びサーバへの情報送信手段を有する例えばＴＶ装置が、ユーザの視聴率情報およびユーザの個人情報をサーバへ送信することで、広告提供者等に有用な視聴率情報を提供する視聴率情報収集分析システムがあった（特許文献１参照。）。
【特許文献１】特開２００３−１６３９４９号公報（第４頁、第１図）
【発明の開示】
【発明が解決しようとする課題】
【０００４】
しかしながら、上記特許文献に開示されている技術では、ユーザが好む番組以外の番組の視聴・録画等を行うことができない。例えば、スポーツへの興味をそれほど有していない視聴者が、オリンピックが放送されている時間帯に娯楽番組を見ている場合、該視聴者がスポーツへの興味を有していないとしても、多数の視聴者が視聴しているオリンピックの場面を視聴したいという要望がある。
【０００５】
そこで、本発明は、視聴率情報等を利用し、視聴率等の高い番組を適時に視聴することが可能な電子機器および該電子機器にて実行される番組情報取得方法を提供することを目的とする。
【課題を解決するための手段】
【０００６】
上記目的を達成するために、請求項１に係る発明では、視聴率情報を送信可能なデータ処理装置と通信する電子機器において、表示部と、表示部に現在表示されている番組から自動的に番組を切替えるか否かを判定するために用いられる閾値を設定する設定手段と、データ処理装置から送信された視聴率情報を受信する受信手段と、受信手段によって受信された視聴率情報に含まれる視聴率の値が閾値よりも大きい場合、視聴率情報に含まれる視聴率の値に対応する番組を表示する表示手段とを具備することを特徴とする。
【０００７】
また、請求項１０に係る発明では、視聴率情報を送信可能なデータ処理装置と通信する電子機器にて実行される番組取得方法において、表示部に現在表示されている番組から自動的に番組を切替えるか否かを判定するために用いられる閾値を設定し、データ処理装置から送信された視聴率情報を受信し、受信された視聴率情報に含まれる視聴率の値が閾値よりも大きい場合、視聴率情報に含まれる視聴率の値に対応する番組を表示することを特徴とする。
【発明の効果】
【０００８】
本発明によれば、視聴率等の高い番組を適時に視聴することが可能である。
【発明を実施するための最良の形態】
【０００９】
図１は、本発明に係るシステム概略図である。
【００１０】
本発明に係るシステムは、例えば電波を受信することでテレビ放送を視聴することが可能であるＡＶ装置１、例えば番組情報提供業者が有しテレビ番組に関するデータの処理等を行うデータ処理装置２、ＡＶ装置１およびデータ処理装置２を接続するインターネット３で構成される。
【００１１】
ＡＶ装置１はインターネット３を介してデータ処理装置２と双方向通信を行う。ＡＶ装置１はデータ処理装置２からインターネット３を介して視聴率情報等を受信する。視聴率情報は、例えば現在放送中である番組の視聴率情報である。一方、ＡＶ装置１はインターネット３を介してデータ処理装置２に、過去に視聴もしくは録画した、または現在、視聴もしくは録画している番組に関する情報（番組視聴情報、番組録画情報）等を送信する。次に、ＡＶ機器１とデータ処理装置２とで構成されるシステムついて説明する。
【００１２】
図２は、ＡＶ機器１とデータ処理装置２とで構成されるシステムを説明する図である。図３は、特定のチャネルに関する情報が表示される子画面ウィンドウを示す図である。
【００１３】
ＡＶ機器１に設けられる制御部１０には、演算部１１、ＡＶ部１２、メモリ１３、通信部１４、ＨＤＤ１５、表示部１６および電源部１７が接続される。演算部１１は、ＡＶ機器１の全体の動作制御を行うために設けられるプロセッサである。オペレーティングシステム（ＯＳ）および各種アプリケーション等を実行する。ＡＶ部１２は例えばアンテナ、チューナ、デコーダ、エンコーダ等で構成される。ＡＶ部１２において行われる動作として、アンテナを介して受信された映像信号はチューナに供給され、チューナにて番組チャネルの信号に係わる周波数を選択した後、さらにデコード、エンコード処理を行う。
【００１４】
メモリ１３には以下に説明するファイル群が記憶される。メモリ１３に記憶されるファイル群として、統計情報ファイル１３ａ、ユーザ情報ファイル１３ｂ、ＥＰＧ情報ファイル１３ｃ及び設定情報ファイル１３ｄがある。
【００１５】
統計情報ファイル１３ａはデータ処理装置２からＡＶ機器１へ送信される番組の視聴率情報等が保存されているファイルである。ユーザがＡＶ機器１に対して所定の操作を行うことで、演算部１１が統計情報ファイル１３ａに保存されている内容をリードし、図３に示される例えば所定のチャネルに関する情報が表示部１６に表示される。
【００１６】
ＥＰＧ情報ファイル１３ｃには、後述にて説明するが、データ処理装置２から送信される、各番組の視聴率情報等が付加されたＥＰＧ（Ｅｌｅｃｔｒｉｃ  Ｐｒｏｇｒａｍ  Ｇｕｉｄｅ）が保存される。ＥＰＧとは電子番組表のことであり、表示部１６に表示される。ＥＰＧは例えばテレビ放送局や番組情報提供者が作成する。ＥＰＧは地上データ放送、インターネット等を介して、番組を受信する機器へ送信される。
【００１７】
設定情報ファイル１３ｄには、ＡＶ機器１のユーザによって任意のタイミングをもってＡＶ機器１のユーザインターフェースを介してなされる操作に基づいて、例えば以下に説明する自動制御項目内容が保存される。
【００１８】
（１）アクセス許可・非許可：データ処理装置２からＡＶ機器１へのアクセス許可、非許可に関する内容。
【００１９】
（２）チャネル自動切替機能オン・オフおよび切替レベル：現在視聴中の番組から視聴率の高い番組に自動的に切替える機能のオン・オフ設定内容。および、現在視聴中の番組から視聴率の高い番組に自動的に切替える場合、どのような基準（例えば、視聴率が１０％以上といった閾値等）でチャネル自動切替を行うかを設定する内容。さらに、自動切替対象となる番組の例えばジャンル、出演者といった属性情報を設定する内容。
【００２０】
（３）自動録画機能オン・オフおよび自動（予約）録画レベル：視聴率の高い番組を自動的に録画する機能のオン・オフ設定内容。および、視聴率の高い番組を自動的に録画する場合、どのような基準（例えば、視聴率が１０％以上といった閾値等）で視聴率の高い番組を自動録画するかを設定する内容。さらに、自動録画対象となる番組の例えばジャンル、出演者といった属性情報を設定する内容。
【００２１】
（４）子画面ウィンドウ表示機能オン・オフおよび子画面ウィンドウ表示レベル：データ処理装置２からＡＶ機器１へ定期的に送信される視聴率情報に所定の変化が生じた場合、該視聴率情報を視聴者に通知するための子画面ウィンドウを表示部に表示させるための機能のオン・オフ設定内容。および、データ処理装置２からＡＶ機器１へ定期的に送信される視聴率情報に所定の変化が生じた場合、該視聴率情報を視聴者に通知するための子画面ウィンドウを表示部に表示させるための基準（例えば、視聴率が１０％以上といった閾値等、放送番組のジャンル、出演者等）を設定する内容。
【００２２】
通信部１４はインターネット３を介してデータ処理装置２との間で行われる通信を制御する。例えば通信部１４はデータ処理装置２へデータを送信する、またはデータ処理装置２から送信されるデータを受信するといった制御を行う。
【００２３】
ＨＤＤ１５には、例えばＡＶ部１２によって受信されデコード、エンコード処理された映像データが記憶される。
【００２４】
表示部１６には視聴中のテレビ番組が表示される。さらに、表示部１６にはテレビ番組のみならず、例えばデータ処理装置２から送信される視聴率情報等が表示される。
【００２５】
電源部１７は、ＡＶ機器１を構成する各コンポーネントに電源を供給する。電源部１７は、ＡＶ機器１のステート（例えば、オン状態、スタンバイ状態、オフ状態等）に応じて、各コンポーネントに対して所定の電源供給を行う。次にＡＶ機器１とインターネットを介して通信を行うデータ処理装置２のシステム構成について説明する。
【００２６】
データ処理装置２に設けられる制御部２０には、演算部２１、通信部２２、メモリ２３が接続される。
【００２７】
演算部２１は、データ処理装置２の全体の動作制御を行うために設けられるプロセッサである。オペレーティングシステム（ＯＳ）および各種アプリケーション等を実行する。
【００２８】
通信部２２はインターネット３を介してＡＶ機器１との間で行われる通信を制御する。例えば通信部２２はＡＶ機器１へデータを送信する、またはＡＶ機器１から送信されるデータを受信するといった制御を行う。
【００２９】
メモリ２３には、インターネット３に接続されている各ＡＶ機器１からデータ処理装置２へ送信された例えば番組視聴情報、番組録画情報といったユーザ情報が記憶される。さらに、演算部２１が所定のタイミング（例えば１時間毎、１日毎、１週間毎等）で、ＡＶ機器１から送信される番組視聴情報、番組録画情報を用いて計算することによって生成する各番組の視聴率および視聴率の増減傾向といった統計情報を統計情報ファイル２３ａとして記憶する。また、演算部２１によって計算された各番組の視聴率および視聴率の増減傾向といった統計情報はＥＰＧに付加され、ＡＶ機器１に送信される。
【００３０】
メモリ２３に記憶される統計情報ファイルＥＰＧの２３ａは最新のタイムスタンプを有する。演算部２１は統計情報を得るための計算処理を所定のタイミングで実施する。
【００３１】
ＡＶ機器１がデータ処理装置２に対して統計情報ファイル２３ａの参照をリクエスすると、データ処理装置２はインターネット３を介してＡＶ機器１へ最新のタイムスタンプを有する統計情報ファイル２３ａを送信する。次に、ＡＶ機器１からデータ処理装置２へのユーザ情報の送信手順について説明する。
【００３２】
図４は、ＡＶ機器１からデータ処理装置２へのユーザ情報の送信手順を説明したフローチャートである。
【００３３】
ＡＶ機器１において、ユーザの視聴番組情報、予約録画状況情報といったユーザ情報はユーザ情報ファイル１３ｂに保存される（ステップ  Ｓ２０１）。
【００３４】
演算部１１は設定情報ファイル１３ｄを参照することで、ユーザ情報ファイル１３ｂのデータ処理装置２への送信が許可されているか否かを確認する（ステップ  Ｓ２０２）。
【００３５】
ユーザ情報ファイル１３ｂの送信が許可されているならば（ステップ  Ｓ２０２  Ｙｅｓ）、演算部１１はユーザ情報ファイル１３ｂを通信部１４およびインターネット３を介してデータ処理装置２へ送信する（ステップ  Ｓ２０３）。
【００３６】
演算部１１はユーザ情報ファイル１３ｂをデータ処理装置２へ送信した後、所定の時間が経過するまで待機する（ステップ  Ｓ２０４）。
【００３７】
所定の時間が経過した後、例えば電源オフといったＡＶ機器１の動作終了処理が行われなかった場合（ステップ  Ｓ２０５  Ｎｏ）、ステップＳ２０１の処理を行う。一方、ＡＶ機器１の動作終了処理が行われた場合（ステップ  Ｓ２０５  Ｙｅｓ）、データ処理装置２へのユーザ情報の送信処理は終了する。次に、データ処理装置２からＡＶ機器１に送信される統計情報を用いてＡＶ機器１にて行われるチャネル切替制御について説明する。
【００３８】
図５ないし図７は夫々、ＡＶ機器１にて統計情報を用いて行われる制御を説明する第１ないし第３のフローチャートである。図８は、番組情報を示す子画面ウィンドウを説明する図である。
【００３９】
演算部１１は設定情報ファイル１３ｄを参照することで、ユーザ情報ファイル１３ｂのデータ処理装置２への送信が許可されているか否かを確認する（ステップ  Ｓ３０１）。
【００４０】
ユーザ情報ファイル１３ｂの送信が許可されているならば（ステップ  Ｓ３０１  Ｙｅｓ）、ＡＶ機器１に設けられる演算部１１は統計情報ファイル２３ａの参照要求を通信部１４およびインターネット３を介してデータ処理装置２へ送信する（ステップ  Ｓ３０２）。
【００４１】
データ処理装置２は統計情報ファイル２３ａの参照要求を受信した後、統計情報ファイル２３ａをＡＶ機器１に送信し、ＡＶ機器１は該統計情報ファイル２３ａを受信し、統計情報ファイル１３ａとして保存する（ステップ  Ｓ３０３）。
【００４２】
演算部１１は設定情報ファイル１３ｄを参照することで、チャネル自動切替機能がオンになっているか否かを確認する（ステップ  Ｓ３０４）。チャネル自動切替機能がオンになっているならば（ステップ  Ｓ３０４  Ｙｅｓ）、演算部１１は統計情報ファイル１３ａおよび設定情報ファイル１３ｄを参照し、統計情報ファイル１３ａ中に保存されている各番組の視聴率と設定情報ファイル１３ｄ中に保存されている自動切替レベルとを比較することで、現在視聴中の番組から視聴率の高い番組に自動的に切替えるか否かを判断する（ステップ  Ｓ３０５）。
【００４３】
統計情報ファイル１３ａ中に保存されている各番組の視聴率の中で設定情報ファイル１３ｄ中に保存されている自動切替レベルを上回る視聴率がある場合、演算部１１は現在視聴中の番組から視聴率の高い番組に自動的に切替えると判断する（ステップ  Ｓ３０５  Ｙｅｓ）。
【００４４】
演算部１１は現在視聴中の番組のチャネルから統計情報ファイル１３ａに保存されている視聴率の高い番組のチャネルへ切替えるように、ＡＶ部１２を制御する（ステップ  Ｓ３０６）。
【００４５】
演算部１１が視聴率の高い番組のチャネルへの切替を実行した場合、または、チャネル自動切替機能がオフになっている（ステップ  Ｓ３０４  Ｎｏ）、および演算部１１が現在視聴中の番組から視聴率の高い番組に自動的に切替えないと判断する（ステップ  Ｓ３０５  Ｎｏ）場合、演算部１１は設定情報ファイル１３ｄを参照することで、自動録画機能がオンになっているか否かを確認する（ステップ  Ｓ３０７）。
【００４６】
自動録画機能がオンになっているならば（ステップ  Ｓ３０７  Ｙｅｓ）、演算部１１は統計情報ファイル１３ａおよび設定情報ファイル１３ｄを参照し、統計情報ファイル１３ａ中に保存されている各番組の視聴率と設定情報ファイル１３ｄ中に保存されている自動録画レベルとを比較することで、視聴率の高い番組に自動的に録画するか否かを判断する（ステップ  Ｓ３０８）。
【００４７】
統計情報ファイル１３ａ中に保存されている各番組の視聴率の中で設定情報ファイル１３ｄ中に保存されている自動録画レベルを上回る視聴率がある場合、演算部１１は視聴率の高い番組を自動的に録画すると判断する（ステップ  Ｓ３０８  Ｙｅｓ）。
【００４８】
演算部１１は統計情報ファイル１３ａに保存されている視聴率の高い番組を録画するように、ＡＶ部１２を制御する（ステップ  Ｓ３０９）。次に、図６を用いて、自動チャネル切替および自動録画が実行されなかった場合を説明する。
【００４９】
自動録画機能がオフになっている（ステップ  Ｓ３０７  Ｎｏ）、または、演算部１１が視聴率の高い番組を自動的に録画しないと判断する（ステップ  Ｓ３０８  Ｎｏ）場合、演算部１１は設定情報ファイル１３ｄを参照することで、子画面ウィンドウ表示機能がオンになっているか否かを確認する（ステップ  Ｓ３１０）。
【００５０】
子画面ウィンドウ表示機能がオンになっているならば（ステップ  Ｓ３１０  Ｙｅｓ）、演算部１１は統計情報ファイル１３ａおよび設定情報ファイル１３ｄを参照し、統計情報ファイル１３ａ中に保存されている各番組の視聴率と設定情報ファイル１３ｄ中に保存されている子画面ウィンドウ表示レベルとを比較することで、子画面ウィンドウ表示を行うか否かを判断する（ステップ  Ｓ３１１）。
【００５１】
統計情報ファイル１３ａ中に保存されている各番組の視聴率の中で設定情報ファイル１３ｄ中に保存されている子画面ウィンドウ表示レベルを上回る視聴率がある場合、演算部１１は子画面ウィンドウ表示を行うと判断する（ステップ  Ｓ３１１  Ｙｅｓ）。
【００５２】
演算部１１は統計情報ファイル１３ａに保存されている視聴率の高い番組に関する情報を図８に示すような子画面ウィンドウとして表示部１６に表示する（ステップ  Ｓ３１２）。
【００５３】
表示部１６に表示されている子画面ウィンドウに示されている番組情報に基づいて、ユーザは例えばチャネルの切替といった操作を行う（ステップ  Ｓ３１３）。次に、図７を用いて、ユーザ情報ファイル１３ｂの送信が許可されていない場合、統計情報ファイル１３ａに保存されている視聴率の高い番組を録画処理した場合、および子画面に示されている番組情報に基づいて、ユーザがチャネルの切替といった操作を行った場合について説明する。
【００５４】
ユーザ情報ファイル１３ｂの送信が許可されていない場合（ステップ  Ｓ３０１  Ｎｏ）、統計情報ファイル１３ａに保存されている視聴率の高い番組を録画処理した場合（ステップ  Ｓ３０９）、および子画面に示されている番組情報に基づいて、ユーザがチャネルの切替といった操作を行った場合（ステップ  Ｓ３１３）、ユーザが所定の時間中に例えばＡＶ機器１の電源オフといった操作を行ったならば（ステップ  Ｓ３１４  Ｙｅｓ）、ＡＶ機器１での諸動作は終了する。
【００５５】
一方、ユーザが所定の時間中に操作を行わない場合（ステップ  Ｓ３１４  Ｎｏ）、ステップＳ３０１の処理を行う。上述にて説明したとおり、ＡＶ機器１は、データ処理装置２からネットワークを介して受信する各番組の視聴率情報を含む統計情報を用いて、視聴率等の高い番組を適時に視聴、録画または視聴率が高い番組が放送されていることをユーザに通知することが可能となる。
【００５６】
なお、データ処理装置２が一定単位分（例えば１日、一時間）の統計情報を有する統計情報ファイル２３ａを例えばテレビ放送局に送信し、テレビ放送局が該統計情報に基づいて、例えば特に視聴率が高かった番組を選択して、再放送専用時間帯を設け、再放送することも可能である。従って、ユーザは再放送専用時間帯に視聴率の高かった番組を視聴することが可能となる。次に、データ処理装置２からＡＶ機器１に送信されるＥＰＧを用いてＡＶ機器１にて行われる自動録画制御について説明する。
【００５７】
図９は、ＡＶ機器１にてＥＰＧを用いて行われる制御を説明する第４のフローチャートである。
【００５８】
ＡＶ機器１はデータ処理装置２からインターネット３を介して送信されるＥＰＧを受信する。またはデータ処理装置２からＥＰＧを受け取ったテレビ放送局がデータ放送として送信するＥＰＧを受信する（ステップ  Ｓ４０１）。演算部１１はデータ処理装置２から送信されるＥＰＧをＥＰＧ情報ファイル１３ｃとしてメモリ１３に記憶する。
【００５９】
演算部１１は設定情報ファイル１３ｄを参照することで、自動録画機能がオンになっているか否かを確認する（ステップ  Ｓ４０２）。
【００６０】
自動録画機能がオンになっているならば（ステップ  Ｓ４０２  Ｙｅｓ）、演算部１１はＥＰＧ情報ファイル１３ｃおよび設定情報ファイル１３ｄを参照し、ＥＰＧ情報ファイル１３ｃ中に保存されている各番組の視聴率と設定情報ファイル１３ｄ中に保存されている自動録画レベルとを比較することで、視聴率の高い番組を自動的に録画するか否かを判断する（ステップ  Ｓ４０３）。
【００６１】
統計情報ファイル１３ａ中に保存されている各番組の視聴率の中で設定情報ファイル１３ｄ中に保存されている自動録画レベルを上回る視聴率がある場合、演算部１１は視聴率の高い番組を自動的に録画すると判断する（ステップ  Ｓ４０３  Ｙｅｓ）。
【００６２】
演算部１１は統計情報ファイル１３ａに保存されている視聴率の高い番組を録画するように、ＡＶ部１２を制御する（ステップ  Ｓ４０４）。
【００６３】
自動録画機能がオフになっている（ステップ  Ｓ４０２  Ｎｏ）、演算部１１が視聴率の高い番組を自動的に録画しないと判断する（ステップ  Ｓ４０３  Ｎｏ）または、演算部１１が視聴率の高い番組の録画を開始した（ステップ  Ｓ４０４）場合、演算部１１は表示部１６へＥＰＧの表示指示がユーザによって行われたか否かを判断する（ステップ  Ｓ４０５）。
【００６４】
表示部１６へのＥＰＧの表示指示がユーザによって行われたことを演算部１１が判断したならば（ステップ  Ｓ４０５  Ｎｏ）、演算部１１はＥＰＧを表示部１６に表示する（ステップ  Ｓ４０６）。
【００６５】
ユーザが表示部１６へＥＰＧの表示させるための操作を行った場合において、ユーザが所定の時間中に例えばＡＶ機器１の電源オフといった操作を行ったならば（ステップ  Ｓ４０７  Ｙｅｓ）、ＡＶ機器１での諸動作は終了する。上述にて説明したとおり、ＡＶ機器１は例えばデータ処理装置２から送信される各番組の視聴率情報を含むＥＰＧを用いることで、視聴率等の高い番組を適時に視聴、録画または視聴率が高い番組が放送されていることをユーザに通知することが可能となる。
【００６６】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００６７】
【図１】本発明に係るシステム概略図。
【図２】ＡＶ機器とデータ処理装置とで構成されるシステムを説明する図。
【図３】特定のチャネルに関する情報が表示される子画面ウィンドウを示す図。
【図４】ＡＶ機器からデータ処理装置へのユーザ情報の送信手順を説明したフローチャート。
【図５】ＡＶ機器にて統計情報を用いて行われる制御を説明する第１のフローチャート。
【図６】ＡＶ機器にて統計情報を用いて行われる制御を説明する第２のフローチャート。
【図７】ＡＶ機器にて統計情報を用いて行われる制御を説明する第３のフローチャート。
【図８】番組情報を示す子画面ウィンドウを説明する図。
【図９】ＡＶ機器にてＥＰＧを用いて行われる制御を説明する第４のフローチャート。
【符号の説明】
【００６８】
１…ＡＶ機器、２…データ処理装置、３…インターネット、１０…制御部、１１…演算部、１２…ＡＶ部、１３…メモリ、１４…通信部、１５…ＨＤＤ、１６…表示部、１７…電源部、２０…制御部、２１…演算部、２２…通信部、２３…メモリ、
【図１】
2005347806.tif 000003
【図２】
2005347806.tif 000004
【図３】
2005347806.tif 000005
【図４】
2005347806.tif 000006
【図５】
2005347806.tif 000007
【図６】
2005347806.tif 000008
【図７】
2005347806.tif 000009
【図８】
2005347806.tif 000010
【図９】
2005347806.tif 000011